(57)【要約】【課題】小型化しても精度の高いオンオフ出力が得られる回転式スイッチを提供する。【解決手段】オンオフスイッチ接点６３´とコモンスイッチ接点６４´とを有するスイッチ基板６０と、オンオフスイッチ接点６３´上に摺接する摺接接点５２´とコモンスイッチ接点６４´上に摺接する摺接接点５３とを有する摺動子５０とを具備し、スイッチ基板６０に対して摺動子５０を回転することでオンオフスイッチ接点６３´とコモンスイッチ接点６４´間で所望のオンオフ出力を得る構造の回転式スイッチ１である。オンオフスイッチ接点６３´をスイッチ基板６０の表面６２´に設置すると共に、コモンスイッチ接点６４´をスイッチ基板６０の表面６２´に対してその面をほぼ垂直に立てて設置する。【選択図】      図１
2004178989.tif 000002
【特許請求の範囲】
【請求項１】
オンオフスイッチ接点とコモンスイッチ接点とを有するスイッチ基板と、
オンオフスイッチ接点上に摺接する摺接接点とコモンスイッチ接点上に摺接する摺接接点とを有する摺動子とを具備し、
スイッチ基板に対して摺動子を回転することでオンオフスイッチ接点とコモンスイッチ接点間で所望のオンオフ出力を得る構造の回転式スイッチにおいて、
前記オンオフスイッチ接点とコモンスイッチ接点の何れか一方をスイッチ基板の表面に設置すると共に、他方をスイッチ基板の表面に対してその面をほぼ垂直に立てて設置したことを特徴とする回転式スイッチ。
【請求項２】
オンオフスイッチ接点とコモンスイッチ接点とを有するスイッチ基板と、
オンオフスイッチ接点上を摺接する摺接接点とコモンスイッチ接点上を摺接する摺接接点とを有する摺動子とを具備し、
スイッチ基板に対して摺動子を回転することでオンオフスイッチ接点とコモンスイッチ接点間で所望のオンオフ出力を得る構造の回転式スイッチにおいて、
前記オンオフスイッチ接点とコモンスイッチ接点の何れか一方をスイッチ基板の表面に設置すると共に、他方をスイッチ基板の表面の上方に設置したことを特徴とする回転式スイッチ。
【請求項３】
前記オンオフスイッチ接点とコモンスイッチ接点の内の何れか一方の接点に対する摺接接点の摺接軌跡の真上に、他方の接点に対する摺接接点の摺接軌跡を位置させたことを特徴とする請求項１又は２に記載の回転式スイッチ。
【発明の詳細な説明】
【０００１】
【発明の属する技術分野】
本発明は、オンオフスイッチ接点上とコモンスイッチ接点上に摺動子を摺接させることによって所望のオンオフ出力を得る構造の回転式スイッチに関する。
【０００２】
【従来の技術】
図６は従来の回転式スイッチを構成するスイッチ基板１００を示す平面図である。同図に示すように従来のスイッチ基板１００は、モールド樹脂製のケース１１０中央に設けた凹状の収納部１０１の内底面１０１´に金属板製のコモンスイッチ接点板１１１と金属板製の一対のオンオフスイッチ接点板１１２，１１２とをインサート成形し、それらの表面をそれぞれコモンスイッチ接点１１１´、オンオフスイッチ接点１１２´，１１２´として露出させ、さらに各接点板１１１，１１２，１１２に接続固定した端子板１１３ａ，１１３ｂ，１１３ｂをケース２１１の外部に引き出して構成されている（例えば特許文献１参照）。ここで前記コモンスイッチ接点１１１´と二つのオンオフスイッチ接点１１２´，１１２´とは、同心円状であってそれぞれ互いに１２０度間隔で配置され、さらにコモンスイッチ接点１１１´は、二つのオンオフスイッチ接点１１２´，１１２´の外側に配置されている。
【０００３】
そして図６に点線で示す摺動子２００を回動すると、摺動子２００に１２０度間隔で三組設けた摺接接点２００ａ，２００ｂの内の外側の摺接接点２００ａの何れか一つがコモンスイッチ接点１１１´上を摺動し、内側の摺接接点２００ｂの何れか二つがオンオフスイッチ接点１１２´，１１２´上を摺動し、これによってオンオフスイッチ接点１１２´，１１２´とコモンスイッチ接点１１１´間で所望のオンオフ出力を得ることができる。
【０００４】
しかしながら、上記従来の回転式スイッチにおいては以下のような問題点があった。すなわち、回転式スイッチの小型化のためにスイッチ基板１００を小型化すると、元々コモンスイッチ接点１１１´の内側に設けられてその径の小さいオンオフスイッチ接点１１２´，１１２´はさらに小さくなり、このため摺接接点２００ｂが摺接するオンオフスイッチ接点１１２´のオンオフパターン間隔が狭くなってオンオフ出力の精度が悪くなってしまう。
【０００５】
【特許文献１】
特開２００１−３５１４５９号公報
【０００６】
【発明が解決しようとする課題】
本発明は上述の点に鑑みてなされたものでありその目的は、小型化しても精度の高いオンオフ出力を得ることができる回転式スイッチを提供することにある。
【０００７】
【課題を解決するための手段】
上記課題を解決するため請求項１に記載の発明は、オンオフスイッチ接点とコモンスイッチ接点とを有するスイッチ基板と、オンオフスイッチ接点上に摺接する摺接接点とコモンスイッチ接点上に摺接する摺接接点とを有する摺動子とを具備し、スイッチ基板に対して摺動子を回転することでオンオフスイッチ接点とコモンスイッチ接点間で所望のオンオフ出力を得る構造の回転式スイッチにおいて、前記オンオフスイッチ接点とコモンスイッチ接点の何れか一方をスイッチ基板の表面に設置すると共に、他方をスイッチ基板の表面に対してその面をほぼ垂直に立てて設置したことを特徴とする。
【０００８】
上記のようにコモンスイッチ接点又はオンオフスイッチ接点をスイッチ基板の表面に対してその面をほぼ垂直に立てて設置したので、オンオフスイッチ接点をスイッチ基板の表面又は表面に対して垂直に立てた位置にその半径を大きくとって設置することができるため、精度の高い回転式スイッチを構成することができる。コモンスイッチ接点又はオンオフスイッチ接点を垂直に立てる位置は、スイッチ基板の表面に設けたオンオフスイッチ接点又はコモンスイッチ接点の外周側でも良いし、その上側でも良い。また場合によっては内周側でも良い。
【０００９】
また請求項２に記載の発明は、オンオフスイッチ接点とコモンスイッチ接点とを有するスイッチ基板と、オンオフスイッチ接点上を摺接する摺接接点とコモンスイッチ接点上を摺接する摺接接点とを有する摺動子とを具備し、スイッチ基板に対して摺動子を回転することでオンオフスイッチ接点とコモンスイッチ接点間で所望のオンオフ出力を得る構造の回転式スイッチにおいて、前記オンオフスイッチ接点とコモンスイッチ接点の何れか一方をスイッチ基板の表面に設置すると共に、他方をスイッチ基板の表面の上方に設置したことを特徴とする。
【００１０】
オンオフスイッチ接点とコモンスイッチ接点の何れか一方をスイッチ基板の表面に設置すると共に、他方をスイッチ基板の表面の上方に設置したので、オンオフスイッチ接点をその半径を大きくとって設置することができるため、精度の高い回転式スイッチを構成することができる。スイッチ基板の表面の上方に設置したコモンスイッチ接点又はオンオフスイッチ接点は、スイッチ基板の表面に対して垂直に立てて設置してもよいし、スイッチ基板の表面と平行に設置してもよい。
【００１１】
また請求項３に記載の発明は、前記オンオフスイッチ接点とコモンスイッチ接点の内の何れか一方の接点に対する摺接接点の摺接軌跡の真上に、他方の接点に対する摺接接点の摺接軌跡を位置させたことを特徴とする。
【００１２】
このように構成すれば、オンオフスイッチ接点の半径が大きくとれて精度の高い回転式スイッチが構成できると同時に、スイッチ基板の外形が大型化せず、小型化にも適する。
【００１３】
【発明の実施の形態】
以下、本発明の実施の形態例を図面に基づいて説明する。図１は本発明の一実施の形態例にかかる回転式スイッチ１を示す概略断面図であり、図２は回転式スイッチ１の分解斜視図である。両図に示すように回転式スイッチ１は、ケースを兼用するスイッチ基板６０上面に設けた凹状の収納部６２内に、摺動子５０をその下面に固定した回転型物４０と、つまみ３０の下部とを収納し、その上にクリックバネ部材２０とカバー１０とを被せ、一方スイッチ基板６０の下面に押圧スイッチ部材７０を設置し、カバー１０に設けた足１４によってこれら各部材を一体化して構成されている。以下、各構成部品について説明する。
【００１４】
カバー１０は金属板製であり、中央につまみ３０が貫通する穴１１を設け、穴１１の周囲に筒状の軸支部１１ａを設け、またカバー１０の上面に下記するケース６０上面の突起６７が貫通する穴１３を設けている。カバー１０の一対の対向する両側辺の中央部分からは下方向に向かって折り曲げられた足１２が設けられ、また足１２の両側からも下方向に向かって折り曲げられた足１４が設けられている。足１４はスイッチ基板６０や押圧スイッチ部材７０等を一体に固定するためのものであり、足１２は図示しない基板等に回転式スイッチ１を固定するためのものである。
【００１５】
クリックバネ部材２０は弾性金属板製であり、カバー１０の外形寸法とほぼ同じ外径寸法に形成された固定部２１の内部にリング状のクリックバネ２２を形成して構成されている。固定部２１とクリックバネ２２は接続部２３で接続されている。クリックバネ２２はその円弧状の半分の部分が根元部分２２ａから斜め下方向に折り曲げられ、その円弧の中央に下記する回転型物４０の凹凸部４２に当接する弾発部２４を設けている。固定部２１には下記するスイッチ基板６０の突起６７を貫通させるための穴２５が開けられている。
【００１６】
つまみ３０は合成樹脂を略円柱状に成形して構成されており、その外径はカバー１０の穴１１に回動自在に挿入される寸法に形成され、またその下面外周にはカバー１０の穴１１からの飛び出しを防止するためのフランジ３２が穴１１の径よりも若干大きい径で設けられている。さらに下面中央には下記するスイッチ基板６０の穴６１から下側に突出して押圧スイッチ部材７０内に収納した反転板７３を押圧する突起３３が設けられている。また図１に示すように、下面の突起３３の両側には下記する回転型物４０に設けたガイド突起４３を挿入して上下動自在にガイドするガイド穴３４が設けられている。
【００１７】
回転型物４０は合成樹脂を略円板状に成形して構成されており、その上面中央のくぼんだ部分の外周に沿ってクリックバネ部材２０の弾発部２４が係合してクリック感を生じるための凹凸部４２が設けられている。回転型物４０の中央にはつまみ３０の突起３３が貫通するための穴４４が設けられ、穴４４の両側には前記つまみ３０のガイド穴３４に挿入されるガイド突起４３が設けられている。回転型物４０の下面には下記する摺動子５０の穴５１に係合する突起４５が設けられている。図１に示すように、回転型物４０の下面の穴４４の周囲には下記するスイッチ基板６０の穴６１に回動自在に挿入される突出部４６が設けられている。
【００１８】
摺動子５０は弾性金属板製であり、下記するスイッチ基板６０のオンオフスイッチ接点６３´に摺接するため、摺動子５０の根元部分から少し下方に折り曲げられたブラシ５２が円周方向に沿ってそれぞれ１２０度間隔で３本設けられており、ブラシ５２の先端には摺接接点５２ａが設けられている。摺接接点５２ａは下記するオンオフスイッチ接点６３´に摺接する。また摺動子５０にはその外周から外方に向けて略円弧状（アーチ状）に突出する三つの摺接接点５３が設けられている。摺接接点５３はブラシ５２の外周よりも外側に突出しており、前記回転型物４０の外周のさらに外側に位置して摺動子５０の根元部分から斜め上方向に折り曲げられている。摺接接点５３の先端部は下記するコモンスイッチ接点６４´に摺接する。
【００１９】
図３はスイッチ基板６０の製造方法説明図である。同図に示すようにスイッチ基板６０を製造するには、まずコモン接点板６４と三本の端子板６５が一枚の金属板に形成されたコモン接点板保持部材６６と、二つのオンオフスイッチ接点板６３，６３が一枚の金属板に形成されたオンオフスイッチ接点板保持部材６９とを用意する。ここでコモン接点板保持部材６６は三本の端子板６５の一端を連結部材８１によって連結し、また中央の端子板６５の他端にコモン接点板６４の外周を接続して構成されている。コモン接点板６４は略円筒状であってその内周面を前記摺動子５０の摺接接点５３が摺接するコモンスイッチ接点６４´としている。中央の端子板６５のコモン接点板６４を接続している部分近傍には、三本の端子板６５の上面よりもコモン接点板６４の下面の高さを高く位置させるための屈曲部８３が設けられている。つまりコモン接点板６４は両側の端子板６５やその下に位置するオンオフスイッチ接点板６３の少し上方に離れて位置している。これによりオンオフスイッチ接点６３´をスイッチ基板６０の表面に設置すると共に、コモンスイッチ接点６４´をスイッチ基板６０の表面に対してその面をほぼ垂直に立てると同時にスイッチ基板６０の表面の上方に設置することになる。そして両側の端子板６５のコモン接点板６４側の端部近傍には下方向に突出する有底のコップ形状（縦断面「コ」字状）の係合突起６５´が設けられている。
【００２０】
一方オンオフスイッチ接点板保持部材６９は二枚のオンオフスイッチ接点板６３をそれぞれ端子当接部６３ａを介して枠部材６９ａに連結して構成されている。オンオフスイッチ接点板６３は円弧状であって、摺動子５０の摺接接点５２ａが摺接していく方向に向けて多数の貫通孔を設けることでオンオフパターンを形成するように構成されている。端子当接部６３ａの前記端子板６５の係合突起６５´に対向する位置には、貫通する固定穴６３ａ´が設けられている。そしてオンオフスイッチ接点板保持部材６９の上にコモン接点板保持部材６６を載置し、その際係合突起６５´を固定穴６３ａ´に挿入して係合突起６５´の先端を固定穴６３ａ´の下面側でカシメて両者を一体に固定する。これによって両側の端子板６５がそれぞれのオンオフスイッチ接点板６３に電気的に接続される。
【００２１】
次に前記一体化したオンオフスイッチ接点板保持部材６９及びコモン接点板保持部材６６の周囲にモールド樹脂製のケース６６を成形し、その後連結部材８１と枠部材６９ａとを切断して除去すれば、図１，図２に示すスイッチ基板６０が完成する。ここでケース６６は、その上面中央に凹状の収納部６２を有し、この収納部６２の内底面（表面）６２´にオンオフスイッチ接点６３´の表面を露出し、収納部６２の内側面にコモンスイッチ接点６４´を露出している。オンオフスイッチ接点板６３に設けた多数の貫通孔内は樹脂で満たされ、オンオフスイッチ接点６３´の表面と同一表面を形成している。つまりオンオフスイッチ接点６３´はスイッチ基板６０の内底面（表面）６２´に設置され、コモンスイッチ接点６４´はスイッチ基板６０の内底面（表面）６２´に対してほぼ垂直に立てて設置されている。
【００２２】
またスイッチ基板６０の外周側面からは端子板６５が突出する。さらにスイッチ基板６０の上面にはカバー１０とクリックバネ部材２０を位置決めする突起６７が形成されている。
【００２３】
次に押圧スイッチ部材７０は、合成樹脂製のケース７６中央に設けた収納部７２の内底面に図示しない固定接点を露出し、その上に可動接点となる弾性金属板製の反転板７３を収納することでスイッチを形成して構成されている。そしてケース７６の外周側面からは前記固定接点と反転板７３とに電気的に接続される二本の端子板７４が突出している。またケース７６の上面からはこの押圧スイッチ部材７０をスイッチ基板６０の下面に設けた図示しない係合穴に挿入して位置決めするための突起７１が突出している。
【００２４】
次にこの回転式スイッチ１の組立方法を説明する。まず予め回転型物４０の下面に摺動子５０を設置し、その際回転型物４０の突起４５を摺動子５０の穴５１に挿入し突起４５の先端を熱カシメして固定する。これによって摺動子５０の摺接接点５２ａは回転型物４０の下面に位置し、摺接接点５３は回転型物４０の外周側面に位置する。
【００２５】
次に押圧スイッチ部材７０の上にスイッチ基板６０を載置し、スイッチ基板６０の収納部６２内に摺動子５０を取り付けた回転型物４０を回動自在に収納し、次に回転型物４０の上につまみ３０を載置して回転型物４０のガイド突起４３をつまみ３０下面のガイド穴３４（図１参照）に挿入し、その上にクリックバネ部材２０とカバー１０とを載置する。その際スイッチ基板６０の突起６７をクリックバネ部材２０の穴２５とカバー１０の穴１３に挿入して位置決めし、またつまみ３０の上部をカバー１０の穴１１から上方に回動自在に突出する。そしてカバー１０の足１４を押圧スイッチ部材７０の下面に折り曲げれば、回転式スイッチ１が完成する。
【００２６】
以上のようにして組み立てられた回転式スイッチ１は、図１に示すように、摺動子５０の何れか二つの摺接接点５２ａが二つのオンオフスイッチ接点６３´にそれぞれ当接し、摺動子５０の全ての摺接接点５３がコモンスイッチ接点６４´に当接している。またつまみ３０と回転型物４０とは回転方向には一体に回転するが、上下方向にはつまみ３０のみが独立に動作する。
【００２７】
次にこの回転式スイッチ１の動作を説明する。つまみ３０を回転するとこれと一体に回転型物４０と摺動子５０が回転し、摺動子５０の摺接接点５２ａがオンオフスイッチ接点６３´上を摺接すると同時に摺動子５０の摺接接点５３がコモンスイッチ接点６４´上を摺接することで、三本の端子板６５から所望のオンオフ出力が得られる。同時に回転型物４０が回転することでクリックバネ部材２０の弾発部２４が回転型物４０の凹凸部４２上を弾接しながら移動し、クリック感覚を生じる。
【００２８】
一方つまみ３０先端を下方向に押圧するとつまみ３０は反転板７３の弾発力に抗して下方へ移動し突起３３が反転板７３を反転し、クリック感覚を生じると同時にスイッチがオンする。つまみ３０の押圧を解除すると反転板７３の弾発力によりつまみ３０は元の位置に自動復帰し、スイッチはオフする。
【００２９】
以上のようにこの実施の形態例によれば、オンオフスイッチ接点６３´のみをスイッチ基板６０の内底面（表面）６２´に設置したので、オンオフスイッチ接点６３´の外径を内底面（表面）６２´の最も外側に位置させることができ、オンオフパターン間の間隔を長くでき、オンオフ出力の精度を向上できる。言い換えればスイッチ基板６０の小型化が図れ、回転式スイッチ１が小型化できる。
【００３０】
以上本発明の実施の形態例を説明したが、本発明は上記実施の形態例に限定されるものではなく、特許請求の範囲、及び明細書と図面に記載された技術的思想の範囲内において以下に示すような種々の変形が可能である。
▲１▼上記実施の形態例ではコモンスイッチ接点６４´をオンオフスイッチ接点６３´の半径方向外側の上方に設置したが、図４に示すように、コモンスイッチ接点６４´をオンオフスイッチ接点６３´の真上に設置してもよい。このように構成すれば、オンオフスイッチ接点６３´の径を大きく取りながら、同時にスイッチ基板６０の小型化が図れる。特にオンオフスイッチ接点６３´に対する摺接接点５２ａの摺接軌跡の真上に、コモンスイッチ接点６４´に対する摺接接点５３の摺接軌跡を位置させれば、オンオフスイッチ接点６３´の径が小さくならず、且つスイッチ基板６０の外径も大きくならず、好適である。また場合によってはコモンスイッチ接点６４´を垂直に立てる位置は、オンオフスイッチ接点６３´の内周側でも良い。
【００３１】
▲２▼また図５に示すように、オンオフスイッチ接点６３´の上方に設置するコモンスイッチ接点６４´は、オンオフスイッチ接点６３´を設けた内底面（表面）６２´に対して平行に設置してもよい。
【００３２】
▲３▼上記実施の形態例ではコモンスイッチ接点６４´をリング状に形成することで摺接接点５３を常に摺接させるようにしたが、コモンスイッチ接点６４´を円弧（リングの一部）状に形成することで複数ある摺接接点５３の内の少なくとも何れか１つの摺接接点５３がコモンスイッチ接点６４´に常に摺接するように構成しても良い。もちろんコモンスイッチ接点６４´をリング状に形成すれば、摺接接点５３がコモンスイッチ接点６４´上から外れることがないのでノイズの恐れが全くなく、好適である。
【００３３】
▲４▼上記実施の形態例ではオンオフスイッチ接点６３´をスイッチ基板６０の内底面（表面）６２´に設置し、コモンスイッチ接点６４´をスイッチ基板６０の内底面６２´に対してその面をほぼ垂直に立てたり、上方に設置したりしたが、逆にコモンスイッチ接点６４´をスイッチ基板６０の内底面（表面）６２´に設置し、オンオフスイッチ接点６３´をスイッチ基板６０の内底面６２´に対してその面をほぼ垂直に立てたり、上方に設置したりしてもよい。この場合もオンオフスイッチ接点６３´の径を大きくすることができる。
【００３４】
▲５▼上記実施の形態例では一枚の摺動子５０にオンオフ用の摺接接点５２ａとコモン用の摺接接点５３とを設けたが、これらオンオフ用の摺接接点５２ａとコモン用の摺接接点５３とを二枚の摺動子にそれぞれ別々に設けてもよい。
【００３５】
【発明の効果】
以上説明したように本発明によれば、オンオフスイッチ接点の半径を大きくとって設置することができるため、精度の高い回転式スイッチを構成することができる。
【図面の簡単な説明】
【図１】本発明の一実施の形態例にかかる回転式スイッチ１を示す概略断面図である。
【図２】回転式スイッチ１の分解斜視図である。
【図３】スイッチ基板６０の製造方法説明図である。
【図４】他の実施の形態例にかかる回転式スイッチ１を示す概略断面図である。
【図５】他の実施の形態例にかかる回転式スイッチ１を示す概略断面図である。
【図６】従来の回転式スイッチを構成するスイッチ基板１００を示す平面図である。
【符号の説明】
１  回転式スイッチ
１０  カバー
２０  クリックバネ部材
３０  つまみ
４０  回転型物
５０  摺動子
５２  ブラシ
５２ａ  摺接接点
５３  摺接接点
６０  スイッチ基板
６２  収納部
６２´  内底面（表面）
６３  オンオフスイッチ接点板
６３´  オンオフスイッチ接点
６３ａ  端子当接部
６４  コモン接点板
６４´  コモンスイッチ接点
６５  端子板
６６  ケース
８３  屈曲部
７０  押圧スイッチ部材
７３  反転板
７４  端子板
【図１】
2004178989.tif 000003
【図２】
2004178989.tif 000004
【図３】
2004178989.tif 000005
【図４】
2004178989.tif 000006
【図５】
2004178989.tif 000007
【図６】
2004178989.tif 000008